(57)【要約】【課題】粉末状食品等を収容した缶の底面に残った粉末を完全に容易に掬い取ることができるスプーンを提供する。【解決手段】底面１０ｂから垂直に立設される内面１０ｃを有する容器１０に残存する粉体を掬い取るためのスプーン１であって、開口３に角縁２ｇ、２ｈを有する凹状の掬い部２と、掬い部から延設される棒状の把持部４とを備え、粉体を掬い取る際に、角縁を形成する二辺のうちの一辺（縁部）２ｆが底面に線接触すると共に、他辺２ｊが内面に線接触するスプーン。掬い部は、角縁を２つ備える方形開口を有すると共に、先端が平面状に形成されていてもよく、把持部は、掬い部の方形開口から、方形開口の開口面に垂直な方向に離間する位置に取り付けてもよい。【選択図】図１
2019195614.tif 000002
【特許請求の範囲】
【請求項１】
底面から垂直に立設される内面を有する容器に残存する粉体を掬い取るためのスプーンであって、
開口に角縁を有する凹状の掬い部と、該掬い部から延設される棒状の把持部とを備え、
前記粉体を掬い取る際に、前記角縁を形成する二辺のうちの一辺が前記底面に線接触すると共に、他辺が前記内面に線接触することを特徴とするスプーン。
【請求項２】
前記掬い部は、前記角縁を２つ備える方形開口を有すると共に、先端が平面状に形成され、
前記把持部は、前記掬い部の前記方形開口から、該方形開口の開口面に垂直な方向に離間する位置に取り付けられることを特徴とする請求項１に記載のスプーン。
【請求項３】
前記掬い部は、方形面の１つが前記開口となる三角柱状に形成されることを特徴とする請求項２に記載のスプーン。
【請求項４】
前記掬い部の三角形面の前記開口を形成しない２辺の間の角度が３０°以上９０°以下であることを特徴とする請求項３に記載のスプーン。
【請求項５】
前記掬い部は、先端に前記角縁を備え、該角縁を通る平面に対して対称な開口を有し、
前記把持部は、前記掬い部の前記開口の開口面近傍から延設されることを特徴とする請求項１に記載のスプーン。
【請求項６】
前記掬い部の角縁は、前記開口の開口面から該開口面に垂直な方向に離間した位置に存在することを特徴とする請求項５に記載のスプーン。
【請求項７】
前記掬い部の角縁は、前記開口の開口面と同一面上において、前記把持部の軸線から該軸線に対して垂直な方向に離間した位置に存在することを特徴とする請求項１に記載のスプーン。
【請求項８】
前記掬い部の内面に該掬い部の容量を表す目盛が記載されていることを特徴とする請求項１乃至７のいずれかに記載のスプーン。
【発明の詳細な説明】
【技術分野】
【０００１】
本発明は、粉ミルクや粉状のプロテイン等の粉末状食品等の缶の底面に残った粉末を完全に容易に掬い取ることができるスプーンに関する。
【背景技術】
【０００２】
粉ミルク等の粉末状の食品は、通常蓋付きの円筒状の缶に入れられて販売されている。これらを使用する際には、缶に付属の計量スプーンで缶の中から粉末を掬い出し、ほ乳瓶等の別の容器に入れた後、湯や水を加えて撹拌する。これにより、粉末が湯や水に溶けて飲食に供される。
【発明の概要】
【発明が解決しようとする課題】
【０００３】
しかし、粉ミルク缶等に付属の計量スプーンは、缶の中に粉末が十分にある状態で粉末を掬って計量するものであるため、缶の底面に残った粉末を掬い取ることは容易ではない。また、付属の計量スプーンではなく、一般的に用いられるスプーンを用いても同様に缶の底面に残った粉末を掬い取ることは容易ではない。そのため、缶の底面に残った粉末を掬い取れずに、缶を逆さまにして残った粉末を捨てたり、缶を洗った後処分するなど、粉末を使い切ることができていなかった。さらに、缶を洗う場合も、数回水を入れ替えてすすがなければ透明の水にならないので、環境の面でも改善の余地があった。
【０００４】
そこで、本発明は、粉末状食品等を収容した缶の底面に残った粉末を完全に容易に掬い取ることができるスプーンを提供することを目的とする。
【課題を解決するための手段】
【０００５】
上記目的を達成するため、本発明は、底面から垂直に立設される内面を有する容器に残存する粉体を掬い取るためのスプーンであって、開口に角縁を有する凹状の掬い部と、該掬い部から延設される棒状の把持部とを備え、前記粉体を掬い取る際に、前記角縁を形成する二辺のうちの一辺が前記底面に線接触すると共に、他辺が前記内面に線接触することを特徴とする。
【０００６】
本発明によれば、角縁を容器の底面と内面の交差部に沿って移動させると、掬い部と容器の底面及び内面との間に隙間が形成され難く、その隙間から粉末が逃げることがないため、容器の底面に残った粉末を完全に容易に掬い取ることができる。
【０００７】
上記スプーンにおいて、前記掬い部を、前記角縁を２つ備える方形開口を有すると共に、先端を平面状に形成し、前記把持部を、前記掬い部の前記方形開口から、該方形開口の開口面に垂直な方向に離間する位置に取り付けることができる。把持部が掬い部の開口面に垂直な方向に離間しているため、掬い部の開口を缶の内面に沿って移動させ易くなる。また、掬い部の先端と缶が面接触するため、掬い部の先端と缶の底面との間に隙間が形成され難く、その隙間から粉末が逃げることがない。
【０００８】
上記スプーンにおいて、前記掬い部を、方形面の１つが前記開口となる三角柱状に形成すれば、掬い部の底部と把持部が缶の内面に当たり難くなるため、掬い取る操作を妨げず、掬い取った粉末が掬い部内でまとまり易く、別の容器に移し易い。
【０００９】
上記スプーンにおいて、前記掬い部の三角形面の前記開口を形成しない２辺の間の角度を３０°以上９０°以下で調節することができる。
【００１０】
また、上記スプーンにおいて、前記掬い部を、先端に前記角縁を備え、該角縁を通る平面に対して対称な開口を有するように形成し、前記把持部を、前記掬い部の前記開口の開口面近傍から延設することができる。これにより、掬い部の先端の角縁を容器の底面と内面の交差部に沿って移動させると、掬い部と容器の底面及び内面との間に隙間が形成され難く、その隙間から粉末が逃げることがないため、利き手の左右に関係のないユニバーサルな形として、容器の底面に残った粉末を完全に容易に掬い取ることができる。
【００１１】
上記スプーンにおいて、前記掬い部の角縁が前記開口の開口面から該開口面に垂直な方向に離間した位置に存在するようにすれば、掬い部の先端部の底が深くなり、掬い取った粉末がこぼれ難くなる。
【００１２】
上記スプーンにおいて、前記掬い部の角縁が、前記開口の開口面と同一面上において、前記把持部の軸線から該軸線に対して垂直な方向に離間した位置に存在するようにすれば、右利き又は左利き専用のスプーンとして、他の粉を触らずより衛生的に、また手をよごさずに粉末を容易に掬い取ることができる。
【００１３】
さらに、上記スプーンにおいて、前記掬い部の内面に該掬い部の容量を表す目盛を記載すれば、掬い取った粉末の量を容易に量ることができる。
【発明の効果】
【００１４】
以上のように、本発明に係るスプーンによれば、粉末状食品等を収容した缶の底面に残った粉末を完全に容易に掬い取ることが可能となる。
【図面の簡単な説明】
【００１５】
【図１】本発明に係るスプーンの第１の実施形態を示す図であって、（ａ）は正面図、（ｂ）は側面図、（ｃ）は上面図、（ｄ）は斜視図である。
【図２】図１に示すスプーンの使用方法を説明するための一部破断斜視図である。
【図３】図１に示すスプーンの変形例を示す図であって、（ａ）は正面図、（ｂ）は側面図、（ｃ）は上面図、（ｄ）は斜視図である。
【図４】本発明に係るスプーンの第２の実施形態を示す図であって、（ａ）は正面図、（ｂ）は側面図、（ｃ）は上面図、（ｄ）は底面図、（ｅ）は斜視図である。
【図５】図４に示すスプーンの使用方法を説明するための一部破断斜視図である。
【図６】図４に示すスプーンの変形例を示す正面図である。
【発明を実施するための形態】
【００１６】
次に、本発明を実施するための形態について図面を参照しながら詳細に説明する。
【００１７】
図１及び図２は、本発明に係るスプーンの第１の実施形態を示し、このスプーン１は、方形開口（以下「開口」と略称する。）３を有する掬い部２と、掬い部２から延設される把持部４とを備える。
【００１８】
掬い部２は、例えば、プラスチックや、ステンレスから凹状に形成され、２つの方形面２ａ、２ｂと２つの三角形面２ｃ、２ｄを備えると共に、１つの方形面が開口３を構成する三角柱状に形成される。開口３の下端部には、角縁２ｇ、２ｈが存在する。角縁とは、縁部が略々直角に交わった部分である。三角形面２ｄの外表面が、スプーン１及び掬い部２の先端である。以下、掬い部２の先端も符号２ｄで表す。
【００１９】
また、掬い部２は、三角形面２ｃの開口３を形成しない２辺の間の角度θ１が３０°以上９０°以下、より好ましくは５０°以上７０°以下となるように構成され、本実施の形態では６０°程度に設定されている。これは、三角形面２ｃの角度θ１を３０°より小さくすると、粉末を掬い取り難くなり、９０°より大きくすると、掬い取った粉末がこぼれ易くなるためである。
【００２０】
把持部４は、例えば、プラスチックや、ステンレスから棒状に形成され、掬い部２と一体形成してもよい。把持部４は、掬い部２の底部２ｅ、すなわち、掬い部２の開口３から離間する位置に取り付けられている。この把持部４を太くすれば、使用者が把持部４を握り易くなるが、把持部４を把持する使用者の手が粉末状食品等の缶の内面１０ｃに当たり易くなるおそれもあるため、適宜調整する。
【００２１】
掬い部２と把持部４を合わせたスプーン１の長手方向長さは、使い易さを考慮し、１６〜１７ｃｍ程度とするのが好ましい。
【００２２】
次に、上記構成を有するスプーン１の使用方法について、図２を中心に参照しながら説明する。尚、以下の説明では、使用者がスプーン１を右手で握るものとする。
【００２３】
まず、底面に粉末が残存する缶１０を斜めにすると共に、缶１０の開口１０ａから掬い部２を内部に挿入し、掬い部２の角縁２ｇを缶１０の底面１０ｂと内面１０ｃの交差部１０ｄに当て、縁部２ｆと他辺２ｊを使って缶の底面１０ｂに散らばる粉末を缶１０の底面１０ｂの一箇所に集める。
【００２４】
次に、集めた粉末の近くにおいて、掬い部２の角縁２ｇを缶１０の底面１０ｂと内面１０ｃの交差部１０ｄに当て、縁部２ｊを缶１０の内面１０ｃに線接触させ、先端２ｄを缶１０の底面１０ｂに面接触させ、その状態で掬い部２の開口３を缶１０の内面１０ｃに沿って上方から見て時計回りに移動させながら、角縁２ｇを交差部１０ｄに沿わせながらすべての粉末を掬い取る。
【００２５】
ここで、掬い部２の先端２ｄと缶１０の底面１０ｂが面接触するか、掬い部２の縁部２ｆと缶１０の底面１０ｂが線接触すると共に、角縁２ｇを形成する他辺２ｊが缶１０の内面１０ｃと線接触するため、掬い部２と缶１０との間に隙間が形成され難く、粉末が逃げることがない。また、把持部４が開口３から開口３の垂直方向に離間しているため、開口３を缶１０の内面１０ｃに沿って移動させ易くなる。さらに、開口３を缶１０の内面１０ｃに沿って移動させながら角縁２ｇを交差部１０ｄに沿わせながら移動させることで、缶１０の底面１０ｂに残った粉末を完全に容易に掬い取ることができる。また、掬い部２を三角柱状としたことで、掬い部２の底部２ｅと把持部４が缶１０の内面１０ｃに当たりにくくなるため、掬い取る操作を妨げず、掬い取った粉末が掬い部内でまとまり易く、別の容器に移し易い。尚、使用者がスプーン１を左手で握った場合には、掬い部２を上方から見て反時計回りに移動させながら角縁２ｈ及び他辺２ｋを利用して粉末を掬い取る。
【００２６】
尚、本実施の形態においては、スプーン１の掬い部２の形状が開口３を有する三角柱状としたが、掬い部２として機能し、かつ掬い取る際に缶１０の底面１０ｂに掬い部２の先端２ｄを面接触させるか、縁部２ｆを線接触させることができるか、縁部２ｊを缶１０の内面１０ｃに線接触させることができると共に、角縁２ｇを交差部１０ｄに沿わせながら移動させることができれば、掬い部２の形状は問わない。例えば、開口３を有する四角柱状であってもよく、掬い部２の先端２ｄ全体が平面状となっていなくとも、先端２ｄの缶１０の底面１０ｂに当接する一部のみが平面状であってもよい。
【００２７】
さらに、把持部４を掬い部２の底部２ｅに取り付けたが、掬い部２の開口３からある程度開口に垂直な方向に離間していれば、底部２ｅ以外の箇所から把持部４を延設しても、開口３を缶１０の内面１０ｃに沿って移動させ易くなる。また、必ずしも把持部４を開口３から離間させる必要はなく、開口３の近傍から延設してもよい。
【００２８】
上記スプーン１では、把持部４を２つの方形面２ａ、２ｂの交差部に設けたが、図３に示すように、把持部４を方形面２ａ側に設けることで、右利きの使用者にとってより使い易くなる。尚、把持部４を方形面２ｂ側に設けることで、左利きの使用者にとってより使い易くなる。
【００２９】
次に、本発明に係るスプーンの第２の実施形態について図４及び図５を参照しながら説明する。
【００３０】
このスプーン１１は、舟形開口（以下、適宜「開口」と略称する。）１３を有する掬い部１２と、掬い部１２から延設される把持部１４とを備え、開口１３の先端に角度θ２が９０°程度である角縁１２ａを備える。
【００３１】
掬い部１２は、例えば、プラスチックや、ステンレスから凹状に形成され、角縁１２ａが開口３の開口面から開口面に垂直な方向に離間した位置に存在する。
【００３２】
把持部１４は棒状で、掬い部１２と一体形成される。把持部１４は、開口１３の角縁１２ａが存在する側の反対側から開口１３を２等分する直線方向（図４（ａ）で上下方向）に延設される。この把持部１４を太くすれば、使用者が把持部１４を握り易くなるが、把持部１４を把持する使用者の手が缶１０の内面に当たり易くなるおそれもあるため、適宜調整する。
【００３３】
掬い部１２と把持部１４を合わせたスプーン１１の長手方向長さは、使い易さを考慮し、１６〜１７ｃｍ程度とするのが好ましい。
【００３４】
次に、上記構成を有するスプーン１１の使用方法について、図５を中心に参照しながら説明する。尚、以下の説明では、使用者がスプーン１１を右手で握るものとする。
【００３５】
まず、底面に粉末が残存する缶１０を斜めにすると共に、缶１０の開口１０ａから掬い部１２を内部に挿入し、角縁１２ａを缶１０の底面１０ｂと内面１０ｃの交差部１０ｄに当て、縁部１２ｄと他辺１２ｅを使って缶の底面１０ｂに散らばる粉末を缶１０の底面１０ｂの一箇所に集める。
【００３６】
次に、集めた粉末の近くにおいて、掬い部１２の角縁１２ａを缶１０の底面１０ｂと内面１０ｃの交差部１０ｄに当て、角縁１２ａを形成する他辺１２ｅを缶１０の内面１０ｃに線接触させ、縁部１２ｄを底面１２ｂに線接触させ、その状態で掬い部１２の開口１３を缶１０の内面１０ｃに沿って上方から見て時計回りに移動させながら、角縁１２ａを交差部１０ｄに沿わせながら移動させてすべての粉末を掬い取る。
【００３７】
ここで、角縁１２ａを形成する他辺１２ｅが缶１０の内面１０ｃに線接触すると共に、掬い部１２の縁部１２ｄと缶１０の底面１０ｂが線接触するか、掬い部１２の先端面１２ｂと缶１０の底面１０ｂが面接触するため、掬い部１２と缶１０との間に隙間が形成され難く、粉末が逃げることがない。また、角縁１２ａが開口３の開口面から開口面に垂直な方向に離間した位置に存在するため、掬い部１２の先端部の底が深くなり、掬い取った粉末がこぼれ難い。尚、使用者がスプーン１１を左手で握った場合には、縁部１２ｄと他辺１２ｅを使って粉末を集め、掬い部１２の角縁１２ａを缶１０の交差部１０ｄに当て、縁部１２ｄを缶１０の内面１０ｃに線接触させ、他辺１２ｅを缶１０の底面１０ｂに線接触させ、その状態で掬い部１２の開口１３を缶１０の内面１０ｃに沿って上方から見て反時計回りに、角縁１２ａを交差部１０ｄに沿わせて移動させながら集めた粉末を掬い取る。
【００３８】
尚、上記実施の形態においては、掬い部１２の角縁１２ａを把持部１４の軸線上に位置させたが、図６に示すように、角縁１２ａを、開口１３の開口面と同一面上において、把持部１４の軸線Ａから垂直な方向に距離Ｌだけ離間させてもよい。これにより、右利きの使用者は他の粉を触らずより衛生的に、また手をよごさずに粉末を容易に掬い取ることができる。尚、角縁１２ａを図示例とは反対側（軸線Ａの左側）に離間させると、左利きの使用者は他の粉を触らずより衛生的に、また手をよごさずに粉末を容易に掬い取ることができる。
【００３９】
また、本実施の形態において、掬い部１２の角縁１２ａを形成する二辺１２ｄ、１２ｅの角度は９０°に限定されず、スプーン１１の使用時に、これら二辺１２ｄ、１２ｅが缶１０の底面１０ｂと内面１０ｃに線接触するように構成されていればよい。
【００４０】
さらに、掬い部１２は舟形開口でなくともよく、開口１３に角縁１２ａが存在すれば他の形状であってもよい。但し、先端に角縁１２ａを備え、角縁１２ａを通る平面に対して開口１３が対称になっている方が右利き、左利きの両者にとって使用しやすい。
【００４１】
また、上述のように、角縁１２ａが開口３の開口面から開口面に垂直な方向に離間した位置に存在するのが好ましいが、必ずしも開口面から離間していなくてもよく、開口面と同一面上に位置してもよい。
【００４２】
さらに、各実施の形態において、掬い部２、１２の内面には、掬い取った粉末の量を量るために、掬い部２、１２の容量を表す目盛が記載されていることが好ましい。スプーン１、１１は、缶の底面に残る少量の粉末を掬い取るものであるため、上記粉末に付属の計量スプーン一杯で量ることのできる量よりもかなり少ない量を量ることができるように、目盛を細かく記載する。
【００４３】
以上、本発明の実施形態について説明したが、本発明は、上述した本発明の実施形態に限定されるものではなく、本発明の要旨を逸脱しない範囲内で様々な変形や応用が可能である。
【符号の説明】
【００４４】
１  スプーン
２  掬い部
２ａ、２ｂ  方形面
２ｃ、２ｄ  三角形面
２ｅ  底部
２ｆ  縁部
２ｇ、２ｈ  角縁
２ｊ、２ｋ  他辺
３  開口
４  把持部
１０  缶
１０ａ  開口
１０ｂ  底面
１０ｃ  内面
１０ｄ  交差部
１１  スプーン
１２  掬い部
１２ａ  角縁
１２ｂ、１２ｃ  先端面
１２ｄ  縁部
１２ｅ  他辺
１３  開口
１４  把持部
【図１】
2019195614.tif 000003
【図２】
2019195614.tif 000004
【図３】
2019195614.tif 000005
【図４】
2019195614.tif 000006
【図５】
2019195614.tif 000007
【図６】
2019195614.tif 000008